【事件の表示】
　平成　９年特許願第　１３４６２号「パチンコ機」拒絶査定不服審判事件〔平成１０年　７月２８日出願公開、特開平１０−１９２４９７〕について、次のとおり審決する。
【結　論】
　本件審判の請求は、成り立たない。
【理　由】
１．手続の経緯
　本願は、平成９年１月８日の出願であって、平成１３年４月３日付けの拒絶理由通知に対し平成１３年５月３０日付けで手続補正がなされ、平成１３年１１月２８日付けで拒絶査定がなされ、これに対し平成１３年１２月２８日に拒絶査定に対する審判請求がなされるとともに平成１４年１月２５日付けで手続補正がなされたものである。
　　　　　　　
２．平成１４年１月２５日付けの手続補正（以下、「本件補正」という。）についての補正却下の決定
［補正却下の決定の結論］
　平成１４年１月２５日付の手続補正を却下する。
［理由］
（１）本件補正の内容（下線部補正箇所）
　本件補正により、特許請求の範囲の請求項１は、次のように補正された。
　「予め定められた種々の図柄を変動表示する複数の図柄表示部を備え、球検知装置を備えた始動口を遊技球が通過すると、球検知装置からの球検知信号に基づいて各図柄表示部の表示図柄が変動を開始し、停止して種々の組合わせの図柄を表示する図柄表示装置を備えたものにあって、
　前記図柄表示装置の各図柄表示部に、具体物を形取った表示体を表出し、該表示体の内側に表示図柄が示されるようにすると共に、
　前記図柄表示装置の図柄表示形態が、
前記表示体を移動して、その表示図柄の組合わせを変化させる普通表示態様と、その表示過程で、リーチ状態にあって変動する表示図柄を、前記表示体の表示位置を移動することなく、波紋、ぼやけ等の判別不能図柄を介在させることにより変換させて、
非順列的変化により
　　　
　上記補正は、請求項１に記載した発明を特定するために必要な事項である「再表示」について「非順列的変化により」との限定を付加するものであって、特許法第１７条の２第４項第２号に規定する特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　　　　
（２）引用例に記載の発明
（２−１）引用発明１について
　i．原査定の拒絶理由に引用された、本願の出願前に日本国内において頒布された刊行物である特開平８−２６６７２３号公報（以下、引用例１という。）には、以下の事項が記載されている。
　「飾り図柄表示部５３は、表示画面を３分割した左・中・右の各飾り図柄５３ａ〜５３ｃの可変表示を可能にする」（第７頁第１２欄第４〜６行）、
　「左・中の各飾り図柄５３ａ・５３ｂは・・・それぞれ「１〜９・Ｆ」の１０種類から構成され、右飾り図柄５３ｃは・・・「１〜９・Ｆ・０」の１１種類から構成されている」（第７頁第１２欄第１０〜１４行）、
　「始動通過口４・・・を打玉が通過し始動通過検出器５が始動信号を導出すると・・・各飾り図柄５３ａ〜５３ｃを変動パターンＡにて変動させる。その後、左図柄５３ａは・・・変動パターンＢにて変動されて停止表示される。また、右図柄５３ｃは・・・変動パターンＢにて変動されて停止表示される」（第７頁第１２欄第１９〜３６行）、
　「中図柄５３ｂは、リーチ以外のとき・・・変動パターンＡにて変動された後・・・変動パターンＢにて変動されて停止表示される」（第７頁第１２欄第４０〜４３行）、
　「リーチ６での中図柄５３ｂは・・・変動パターンＡでの・・・変動の後に・・・変動パターンＧにて変動されて停止表示される」（第８頁第１３欄第１４〜１７行）、
　「変動パターンＧは・・・変動開始から・・・変動を行って停止し、その後１７ｉ秒間のモザイク変動（スクロールさせずにモザイクをかけたその場の変動）及び２８ｉ秒間の停止を１図柄（２２４ドット）分の動作としてこれを１１図柄〜２０図柄分繰り返し、その後３０ｉ秒間停止する」（第８頁第１４欄第２０〜２８行）。
　ii．引用例１における前記摘示の記載及び図面（特に【図２９】Ｇ）によれば、引用例１には、以下の発明（以下、「引用発明１」という。）が記載されているものと認められる。
　「予め定められた種々の飾り図柄を変動表示する左・中・右の図柄表示部を備え、始動通過検出器５を備えた始動通過口４を打玉が通過すると、始動通過検出器５からの始動信号に基づいて各図柄表示部の表示飾り図柄が変動を開始し、停止して種々の組合わせの飾り図柄を表示する飾り図柄表示部５３を備えたものにあって、
　前記飾り図柄表示部５３の各図柄表示部に、表示飾り図柄が示されるようにすると共に、
　前記飾り図柄表示部５３に表示される変動パターンが、
前記表示飾り図柄を移動して、その表示飾り図柄の組合わせを変化させる変動パターンＡ及びＢと、その表示過程で、リーチ状態にあって変動する表示飾り図柄を、前記表示飾り図柄の表示位置をスクロールさせずにモザイクをかけたその場でのモザイク変動とその後の停止表示とを１１図柄〜２０図柄分繰り返し、その後に停止表示するようにしてなる変動パターンＧとを備えてなる弾球遊技機。」
　　　
（２−２）引用発明２について
　i．原査定の拒絶理由に引用された、本願の出願前に日本国内において頒布された刊行物である特開平６−３１２０５４号公報（以下、引用例２という。）には、以下の事項が記載されている。
　「予め定められた種々の図柄を変動表示する複数個の図柄表示器によって構成され、球検知装置を備えた始動ゲートを遊技球が通過すると、球検知装置からの球検知信号に基づいて各図柄表示器が図柄変動を開始し、停止して種々の組合わせの図柄を表示する図柄組合わせ表示装置」（第２頁第１欄第２０〜２５行）、
　「図柄組合わせ表示装置６を構成する・・・三個の図柄表示器７ａ、７ｂ、７ｃ」（第２頁第２欄第１１〜１３行）、
　「センターケース４の直下位置には・・・球検知装置（図示せず）を備えた始動口１３が設けられる。この始動口ゲート１３に玉が入ると、玉検知装置による玉通過検知に伴って、図柄組合わせ表示装置６を駆動する」（第２頁第２欄第２２〜２６行）、
　「図柄表示器７ａ、７ｂ、７ｃの図柄表示態様は、図４で示すように、麻雀の牌又は将棋の駒等の表示体ｘが後方へ傾倒し、さらに前方へ起き上がる変動態様としており、その傾倒ごとに、該表示体表面の表示図柄ｙが切替わるようにしている」（第３頁第４欄第１８〜２２行）、
　「図４は、麻雀の牌を表示体ｘとし、その表示図柄としてピンズを表示図柄ｙとしたもの」（第３頁第４欄第３８，３９行）。
　ii．引用例２における前記摘示の記載及び図面によれば、引用例２には、以下の発明（以下、「引用発明２」という。）が記載されているものと認められる。
　「予め定められた種々の図柄を変動表示する複数の図柄表示器７ａ〜７ｃを備え、球検知装置を備えた始動口１３を遊技球が通過すると、球検知装置からの球検知信号に基づいて各図柄表示器７ａ〜７ｃの表示図柄ｙが変動を開始し、停止して種々の組合わせの図柄を表示する図柄組合わせ表示装置６を備えたものにあって、
　前記図柄組合わせ表示装置６の各図柄表示器７ａ〜７ｃに、麻雀の牌又は将棋の駒等の表示体ｘを表出し、該表示体ｘの内側に表示図柄ｙが示されるようにするパチンコ機。」
　　　
（２−３）引用発明３について
　本願の出願前に日本国内において頒布された刊行物である特開平８−１１７４１５号公報（以下、引用例３という。）には、以下の事項が記載されている。
　「可変表示装置は、前記識別情報のコマ送り表示を可能とすると共に、このコマ送り表示での表示更新時には、識別情報を覆うマスク画像の表示を行う」（第２頁第２欄第２〜５行）、
　「可変表示装置は、前記マスク画像の表示中に前記識別情報の表示更新を行わない同一識別情報の継続表示をも行うことにより、識別情報の変動動作に意外性を持たせることができる」（第２頁第２欄第６〜９行）、
　「可変表示装置は、前記マスク画像の表示中に前記識別情報を複数個更新する表示をも行うことにより、識別情報の変動動作に意外性を持たせることができる」（第２頁第２欄第１０〜１３行）、
　「各図柄表示部５８ａ〜５８ｃでの識別情報（以下、遊技図柄という）の可変表示（以下、変動ともいう）を可能にする可変表示装置５０」（第２頁第２欄第２８〜３１行）、
　「各図柄列は、それぞれあたかもリール回転するように変動され、変動開始時から所定時間が経過したときに左・右・中の順で停止されて３個の図柄が確定されることとなる。なお、左・中・右の各図柄列における当り図柄の組合せに対しては、ＷＣＲＮＤ１（図５３参照）のランダム数が設けられている。この当り図柄の組合せとしては、左・中・右の各図柄列に同一図柄が揃った場合であり」（第５頁第７欄第１６〜２３行）、
　「可変表示装置５０の変動動作において、リーチして外れる場合の図柄列の変動を図５６及び図５７のタイムチャートに基づいて説明する。先ず、図５６において、始動口４を打玉が入り始動玉検出器５がＯＮされ始動信号を導出すると、その始動信号の立ち上がり時にＷＣＲＮＤ１から数値を抽出してこれを格納する。その後、始動信号の導出から微少時間（０．００２秒）が経過したときに、格納したＷＣＲＮＤ１の値を読み出して外れを判定し、それと同時にＷＣＲＮＤ　ＺＵＬ・ＺＵＣ・ＺＵＲ及びＷＣＲＮＤ　ＲＣＨから数値を抽出する。その後、始動信号の導出から０．００４秒が経過すると、全図柄列の変動を開始させる。そして、上記のような全図柄列の変動開始から左図柄列を５．０００秒間、また右図柄列を５．９００秒間、それぞれ変動パターンＡにて変動させ、その後、左図柄列は、０．９００秒間変動パターンＢにて変動されてＷＣＲＮＤ　ＺＵＬで抽出した値の図柄を停止表示させる一方、右図柄列は、１．４１８秒間変動パターンＣにて変動されてＷＣＲＮＤ　ＺＵＲで抽出した値の図柄を停止表示させる。また、このような左・右の各図柄の停止表示によりリーチ図柄が構成されると、ＷＣＲＮＤ　ＲＣＨからの読み出しランダム数に基づいて中図柄列を変動制御する。なお、以下に説明する中図柄列のリーチ変動において、条件１〜条件４、及び注１・２とは、図６１の一覧表図に示す通りである。」（第８頁第１３欄第１４〜３８行）、
　「中図柄列をリーチ丸３の態様で変動制御する。即ち、リーチ丸３（これを垂れ幕リーチともいう）では、中図柄列は、変動開始から・・・変動パターンＡにて変動された後・・・変動パターンＤにて変動され、その後・・・変動パターンＦにて変動されて・・・図柄を停止表示させる」（第８頁第１４欄第１０〜１６行）、
　「リーチ丸３（垂れ幕リーチ）では、・・・図柄表示部５８の中図柄列では、マスク画像としての垂れ幕５８ｄが現れ、該垂れ幕５８ｄの開閉毎、即ちカウント表示部５７ｅでのカウントダウン表示毎に１図柄宛変動していく（図６４（Ｃ）〜図６４（Ｅ）参照）。そして、当りとなる場合には、図６４（Ｆ）に示すように、カウント表示部５７ｅでのカウントダウンの終了と同時に、図柄表示部５８の中図柄列に当り図柄（「Ｂ６」）が停止表示されることで当りの確定となる。なお、垂れ幕リーチでの図柄の変動は、必ずしも垂れ幕５８ｄの開閉動作に応じて１図柄宛変動させるものではない。即ち、垂れ幕５８ｄの開閉動作に応じて必ず１図柄宛変動させる設定とした場合には、図６５（Ａ）〜（Ｅ）に示す図柄の変動において、遊技者は、カウント表示部５７ｅでのカウント値によって既に当りか外れかが分かってしまう。このため、外れとする場合には、図６５（Ｆ）に示す垂れ幕５８ｄの閉塞状態後、垂れ幕５８ｄの開放に応じて１図柄変動する（図６５（Ｇ）参照）一方、当りとする場合には、図６５（Ｆ）に示す垂れ幕５８ｄの閉塞状態後に、垂れ幕５８ｄを開放しても図柄を変動させないものである」（第９頁第１６欄第２１行〜第１０頁第１７欄第３行）、
　「リーチ丸３（垂れ幕リーチ）において、図柄（識別情報）をコマ送り表示すると共に、このコマ送り表示での表示更新時には、識別情報を覆うマスク画像（垂れ幕５８ｄ）の表示を行うので、多様性に富む識別情報の変動動作を可能にし、結果として遊技の興趣を向上している。」（第１０頁第１７欄第２１〜２６行）。
　ii．引用例３における前記摘示の記載及び図５６及び６５によれば、引用例３には、以下の発明（以下、「引用発明３」という。）が記載されているものと認められる。
　「予め定められた種々の図柄を変動表示する複数の図柄表示部５８ａ〜５８ｃを備え、始動玉検出器５を備えた始動口４を打玉が通過すると、始動玉検出器５からの始動信号に基づいて各図柄表示部５８ａ〜５８ｃの表示図柄が変動を開始し、停止して種々の組合わせの図柄を表示する可変表示装置５０を備えたものにあって、
　前記可変表示装置５０の各図柄表示部５８ａ〜５８ｃに、表示図柄が示されるようにすると共に、
　前記可変表示装置５０の変動パターンが、
前記表示図柄を移動して、その表示図柄の組合わせを変化させる変動パターンＡ、Ｂ及びＣと、その表示過程で、垂れ幕リーチ状態にあって変動する表示図柄を、前記表示図柄のコマ送り表示を可能にし、マスク画像としての垂れ幕５８ｄを介在させることにより変換させて、外れとする場合には、垂れ幕５８ｄの開閉動作に応じて１図柄宛変動させる一方、当りとする場合には、垂れ幕５８ｄの閉塞状態後に垂れ幕５８ｄを開放しても図柄を変動させない図柄変動により再表示するようにしてなる変動パターンＤ及びＦとを備えてなる弾球遊技機。」
　　　
（３）対比
　そこで、本願補正発明と引用発明１とを対比すると、引用発明１の「飾り図柄」、「始動通過検出器５」、「始動通過口４」、「打玉」、「始動信号」、「飾り図柄表示部５３」、「変動パターン」、「変動パターンＡ及びＢ」、「ストロークさせずに」、「モザイクをかけたその場でのモザイク変動により」、「変動パターンＧ」及び「弾球遊技機」が、それぞれ本願補正発明の「図柄」、「球検知装置」、「始動口」、「遊技球」、「球検知信号」、「図柄表示装置」、「図柄表示形態」、「普通表示態様」、「移動することなく」、「波紋、ぼやけ等の判別不能図柄を介在させることにより変換させて」、「特別表示態様」及び「パチンコ機」に相当する。
　そうすると、本願補正発明と引用発明１は、下記の点で一致並びに相違するものと認められる。
　一致点．「予め定められた種々の図柄を変動表示する複数の図柄表示部を備え、球検知装置を備えた始動口を遊技球が通過すると、球検知装置からの球検知信号に基づいて各図柄表示部の表示図柄が変動を開始し、停止して種々の組合わせの図柄を表示する図柄表示装置を備えたものにあって、
　前記図柄表示装置の各図柄表示部に、表示図柄が示されるようにすると共に、
　前記図柄表示装置の図柄表示形態が、
前記表示図柄を移動して、その表示図柄の組合わせを変化させる普通表示態様と、その表示過程で、リーチ状態にあって変動する表示図柄を、前記表示図柄の表示位置を移動することなく、波紋、ぼやけ等の判別不能図柄を介在させることにより変換させて、再表示するようにしてなる特別表示態様とを備えてなるパチンコ機。」
　相違点Ａ．図柄表示部に表示される表示図柄について、本願補正発明は、具体物を形取った表示体の内側に表示図柄が示されるようにするのに対し、引用発明１は、具体物を形取った表示体を用いることなく、表示図柄のみをもって示されるようにする点。
　相違点Ｂ．その表示過程で、リーチ状態にあって変動する表示図柄を、判別不能図柄を介在させることにより変換させて、再表示するときに、本願補正発明は、非順列的変化により再表示するのに対し、引用発明１は、モザイク変動とその後の停止表示とを１１図柄〜２０図柄分繰り返してから再表示する点。
　　　
（４）判断
（４−１）相違点Ａについて
　本願補正発明と引用発明２とを対比すると、引用発明２の「図柄表示器７ａ〜７ｃ」、「図柄組合わせ表示装置６」、「表示図柄ｙ」及び「麻雀の牌又は将棋の駒等の表示体ｘ」が、それぞれ本願補正発明の「図柄表示部」、「図柄表示装置」、「表示図柄」及び「具体物を形取った表示体」に相当するから、引用発明２には、前記相違点Ａに係る本願補正発明の「図柄表示装置の各図柄表示部に、具体物を形取った表示体を表出し、該表示体の内側に表示図柄が示されるようにするパチンコ機」という構成が開示されているものと認められる。
　しかして、引用発明１も引用発明２も、共に、図柄表示装置の各図柄表示部に、表示図柄が示されるタイプのパチンコ機であるから、引用発明１に引用発明２を適用して、前記相違点Ａに係る本願補正発明のように構成することは、当業者が容易に想到しうるものというべきである。
　　　　
（４−２）相違点Ｂについて
　本願補正発明と引用発明３とを対比すると、引用発明３の「始動玉検出器５」、「打玉」、「始動信号」、「可変表示装置５０」、「変動パターン」、「変動パターンＡ、Ｂ及びＣ」、「コマ送り表示を可能にし」、「マスク画像としての垂れ幕５８ｄ」及び「弾球遊技機」が、それぞれ本願補正発明の「球検知装置」、「遊技球」、「球検知信号」、「図柄表示装置」、「図柄表示形態」、「普通表示態様」、「表示位置を移動することなく」、「波紋、ぼやけ等の判別不能図柄」及び「パチンコ機」に相当する。
　そして、引用発明３において「外れとする場合には、垂れ幕５８ｄの開閉動作に応じて１図柄宛変動させる一方、当りとする場合には、垂れ幕５８ｄの閉塞状態後に垂れ幕５８ｄを開放しても図柄を変動させない図柄変動により再表示するようにしてなる変動パターンＤ及びＦ」とすることは、本来の図柄順列にしたがって表示されるべき図柄とは異なる図柄を表示させる表示態様を含むものであり、本願補正発明における「非順列的変化により再表示するようにしてなる特別表示態様」に相当するから、引用発明３には、前記相違点Ｂに係る本願補正発明の「その表示過程で、リーチ状態にあって変動する表示図柄を、波紋、ぼやけ等の判別不能図柄を介在させることにより変換させて、非順列的変化により再表示するパチンコ機」という構成が開示されているものと認められる。
　また、引用発明３を認定した引用例３には、図柄順列が次順の関係にある図柄に変化させない表示態様を含む垂れ幕リーチについて「垂れ幕５８ｄの開閉動作に応じて必ず１図柄宛変動させる設定とした場合には、図６５（Ａ）〜（Ｅ）に示す図柄の変動において、遊技者は、カウント表示部５７ｅでのカウント値によって既に当りか外れかが分かってしまう」（引用例３第９頁第１６欄第４４〜４８行）という問題を解決することを作用目的とする旨が記載されているから、該記載に接した当業者は、前記作用目的に適合する変形表示態様として、垂れ幕（判別不能図柄）を介在させて最終的に表示する図柄として、本来の図柄順列に基づかないランダムな関係にある図柄を表示するような表示態様を容易に想起するものと認められる。
　しかして、引用発明１も引用発明３も、共に、判別不能図柄を介在させることにより変換させて、再表示するタイプのパチンコ機であるから、引用発明１に引用発明３を適用して、前記相違点Ｂに係る本願補正発明のように構成することは、当業者が容易に想到しうるものというべきである。
　　　　
（４−３）本願補正発明の作用効果について
　本願補正発明の作用効果は、引用発明１乃至引用発明３に基づいて、当業者が容易に予測できる範囲のものである。
　　　　
（４−４）まとめ
　したがって、本願補正発明は、引用発明１乃至引用発明３に基づいて、当業者が容易に発明をすることができたものであるから、特許法第２９条第２項の規定により特許出願の際独立して特許を受けることができないものである。
　　
（５）むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　　　
３．本願発明について
　平成１４年１月２５日付の手続補正は上記のとおり却下されたので、本願の請求項１に係る発明（以下、同項記載の発明を「本願発明」という。）は、出願当初の明細書の特許請求の範囲の請求項１に記載された事項により特定される、以下のとおりのものである。
　「予め定められた種々の図柄を変動表示する複数の図柄表示部を備え、球検知装置を備えた始動口を遊技球が通過すると、球検知装置からの球検知信号に基づいて各図柄表示部の表示図柄が変動を開始し、停止して種々の組合わせの図柄を表示する図柄表示装置を備えたものにあって、
　前記図柄表示装置の各図柄表示部に、具体物を形取った表示体を表出し、該表示体の内側に表示図柄が示されるようにすると共に、
　前記図柄表示装置の図柄表示形態が、
前記表示体を移動して、その表示図柄の組合わせを変化させる普通表示態様と、その表示過程で、リーチ状態にあって変動する表示図柄を、前記表示体の表示位置を移動することなく、波紋、ぼやけ等の判別不能図柄を介在させることにより変換させて、再表示するようにしてなる特別表示態様とを備えてなることを特徴とするパチンコ機。」
　　　
（１）引用例に記載の発明
　原査定の拒絶の理由に引用された引用例である特開平８−２６６７２３号公報及び特開平６−３１２０５４号公報は、前記２．（２）において記載した引用例１及び引用例２と同一文献であって、これらの引用例の記載事項及び該記載事項に基づいて認定される発明（以下、「引用発明１及び２」という。）は、前記したとおりのものである。
　　　
（２）対比
　本願発明は、本願補正発明における「非順列的変化により再表示する」と規定する事項から「非順列的変化により」という文言を削除するものであるから、前記２．（３）における本願補正発明と引用発明１との対比を踏まえて、本願発明と引用発明１を対比すると、両者は、前記２．（３）において認定した一致点並びに相違点Ａをもって、一致並びに相違するものと認められる。なお、本願発明は、前記のように「非順列的変化により」という規定を欠くから、前記２．（３）において認定した相違点Ｂは、該当しない。
　　　
（３）判断
　相違点Ａに係る本願（補正）発明の構成は、前記２．（４−１）において判断したとおり、当業者が容易に想到しうるものであるから、本願発明は、引用発明１及び引用発明２に基づいて、当業者が容易に発明をすることができたものである。
　また、本願発明の作用効果は、引用発明１及び引用発明２に基づいて、当業者が容易に予測できる範囲のものである。
　　　　
（４）むすび
　以上のとおり、本願発明は、引用例１及び引用例２に記載された発明（引用発明１及び引用発明２）に基づいて、当業者が容易に発明をすることができたものであるから、特許法第２９条第２項の規定により特許を受けることができない。
　よって、結論のとおり審決する。